(57)【要約】【課題】  転写後の像保持部材の表面に残留する残留物が、２つのブラシ部材を用いたクリーニング装置によって適切に除去されるようにする。【解決手段】  トナー像を転写させた後の像保持部材2の表面に残留する残留物を除去するクリーニング装置30において、像保持部材の移動方向上流側において接触する第１ブラシ部材31により像保持部材の表面に残留する残留物をトナーの帯電極性側に帯電させ、このように帯電された残留物を像保持部材の移動方向下流側において接触する第２ブラシ部材32により像保持部材の表面から回収するにあたり、トナーと像保持部材と第１ブラシ部材と第２ブラシ部材の摩擦帯電系列が、トナーの帯電極性側からトナー、第１ブラシ部材、像保持部材、第２ブラシ部材の順になるようにした。【選択図】  図２
2009014943.tif 000002
【特許請求の範囲】
【請求項１】
トナー像を保持して移動する像保持部材からトナー像を転写させた後に、この像保持部材の表面に残留する残留物を除去するクリーニング装置が設けられた画像形成装置において、上記のクリーニング装置に、移動する像保持部材の表面に接触させる２つのブラシ部材を設け、像保持部材の移動方向上流側において接触する第１ブラシ部材によって像保持部材の表面に残留する残留物をトナーの帯電極性側に帯電させる一方、像保持部材の移動方向下流側において接触する第２ブラシ部材によって上記のように帯電された残留物を像保持部材の表面から回収させるにあたり、上記のトナーと像保持部材と第１ブラシ部材と第２ブラシ部材の摩擦帯電系列が、トナーの帯電極性側からトナー、第１ブラシ部材、像保持部材、第２ブラシ部材の順になっていることを特徴とする画像形成装置。
【請求項２】
請求項１に記載の画像形成装置において、上記のトナーが負帯電性のトナーであり、上記のトナーと像保持部材と第１ブラシ部材と第２ブラシ部材の摩擦帯電系列が、負極性側からトナー、第１ブラシ部材、像保持部材、第２ブラシ部材の順になっていることを特徴とする画像形成装置。
【請求項３】
請求項１又は請求項２に記載の画像形成装置において、上記の第１ブラシ部材に像保持部材の表面に残留する残留物をトナーの帯電極性側に帯電させる帯電用バイアス電圧を作用させる帯電用バイアス電源を設けると共に、上記の第２ブラシ部材に上記のように帯電された残留物を像保持部材の表面から回収させる回収用バイアス電圧を作用させる回収用バイアス電源を設けたことを特徴とする画像形成装置。
【請求項４】
請求項１〜請求項３の何れか１項に記載の画像形成装置において、上記の第２ブラシ部材に回収された残留物をこの第２ブラシ部材から回収する回収部材を設けたことを特徴とする画像形成装置。
【発明の詳細な説明】
【技術分野】
【０００１】
本発明は、複写機，プリンタ，ファクシミリ、これらの複合機などの画像形成装置に係り、特に、トナー像を保持して移動する像保持部材からトナー像を転写させた後に、この像保持部材の表面に残留するトナー等の残留物を除去するクリーニング装置に２つのブラシ部材を設け、この２つのブラシ部材を移動する像保持部材の表面に接触させて、像保持部材の表面に残留するトナー等の残留物を除去する場合に、像保持部材の移動方向上流側に位置する第１ブラシ部材にトナー等の残留物が蓄積されるのを防止すると共に、下流側に位置する第２ブラシ部材によってトナー等の残留物が像保持部材の表面から適切に回収されるようにした点に特徴を有するものである。
【背景技術】
【０００２】
複写機，プリンタ，ファクシミリ、これらの複合機などの画像形成装置においては、トナー像を保持して移動する像保持部材、例えば、トナー像が形成される感光体や、感光体に形成されたトナー像が転写される中間転写体において、このような像保持部材からトナー像を記録媒体等に転写させた後、この像保持部材の表面に残留しているトナー等の残留物をクリーニング装置によって除去することが行われている。
【０００３】
ここで、上記のようにトナー像を転写させた後における像保持部材の表面に残留しているトナー等の残留物を除去するにあたり、従来においては、一般に板状になったクリーニングブレードを像保持部材の表面に圧接させて、像保持部材の表面に残留しているトナー等の残留物を除去するようにしていた。
【０００４】
しかし、このようにクリーニングブレードを像保持部材の表面に圧接させてトナー等の残留物を除去するようにした場合、クリーニングブレードが次第に摩耗してクリーニング性能が低下したり、像保持部材が摩耗してその寿命が短くなったりするなどの問題があった。
【０００５】
また、従来においては、特許文献１〜３に示されるように、移動する像保持部材の表面に２つのブラシローラを接触させて回転させ、この２つのブラシローラにおけるブラシによって像保持部材の表面に残留するトナー等の残留物を除去するようにしたものが提案されている。
【０００６】
しかし、このように２つのブラシローラを移動する像保持部材の表面に接触させて回転させ、この像保持部材の表面に残留するトナー等の残留物を十分に除去するにあたり、像保持部材の表面に対して接触させる２つのブラシローラにおけるブラシの圧力を高くすると、ブラシとの接触によって像保持部材の表面が傷ついたり、トナー等の残留物が像保持部材の表面に付着してフィルミングが発生したりするという問題があった。
【０００７】
そして、特許文献１においては、像保持部材の移動方向上流側において接触するブラシローラにおけるブラシ１本当りの像保持部材に対する押圧力を、像保持部材の移動方向下流側において接触するブラシローラにおけるブラシ１本当りの像保持部材に対する押圧力よりも大きくして、像保持部材の表面が傷ついたりするのを防止することが提案されている。
【０００８】
また、特許文献２においては、像保持部材の移動方向上流側において接触する第１のブラシローラにより、像保持部材の表面における残留量が少ない一方の極性のトナーを静電的に吸引しながら掻き取る一方、像保持部材の移動方向下流側において接触する第２のブラシローラにより、像保持部材の表面における残留量が多い他方の極性のトナーを静電的に吸引しながら掻き取るようにして、像保持部材の表面にトナーがフィルミングされるのを防止することが提案されている。
【０００９】
また、特許文献３においては、２つのブラシローラと接触するようにして回収ローラを設け、この回収ローラに交番電界を作用させて、２つのブラシローラからトナーや紙粉等を回収させることが提案されている。
【００１０】
しかし、上記の特許文献１〜３の何れのものにおいても、トナー等の残留物がこれらのブラシローラに蓄積されてクリーニング性能や帯電性能が低下したり、また蓄積されたトナー等の残留物がこれらのブラシローラから像保持部材の表面に戻ってクリーニング不良が発生したりするという問題があった。
【特許文献１】特開２００５−１７４１６号公報
【特許文献２】特開２００５−２７５０８６号公報
【特許文献３】特開平５−２７６５１号公報
【発明の開示】
【発明が解決しようとする課題】
【００１１】
本発明は、トナー像を保持して移動する像保持部材からトナー像を転写させた後に、この像保持部材の表面に残留するトナー等の残留物をクリーニング装置によって除去する場合における上記のような問題を解決することを課題とするものである。
【００１２】
そして、本発明においては、２つのブラシ部材を移動する像保持部材の表面に接触させて、像保持部材の表面に残留するトナー等の残留物を除去する場合に、像保持部材の移動方向上流側に位置する第１ブラシ部材にトナー等の残留物が蓄積されるのを防止すると共に、下流側に位置する第２ブラシ部材によってトナー等の残留物が像保持部材の表面から適切に回収されるようにすることを課題とするものである。
【課題を解決するための手段】
【００１３】
本発明に係る画像形成装置においては、上記のような課題を解決するため、トナー像を保持して移動する像保持部材からトナー像を転写させた後に、この像保持部材の表面に残留する残留物を除去するクリーニング装置が設けられた画像形成装置において、上記のクリーニング装置に、移動する像保持部材の表面に接触させる２つのブラシ部材を設け、像保持部材の移動方向上流側において接触する第１ブラシ部材によって像保持部材の表面に残留する残留物をトナーの帯電極性側に帯電させる一方、像保持部材の移動方向下流側において接触する第２ブラシ部材によって上記のように帯電された残留物を像保持部材の表面から回収させるにあたり、上記のトナーと像保持部材と第１ブラシ部材と第２ブラシ部材の摩擦帯電系列が、トナーの帯電極性側からトナー、第１ブラシ部材、像保持部材、第２ブラシ部材の順になるようにした。
【００１４】
ここで、負帯電性のトナーを用いた場合には、このトナーと像保持部材と第１ブラシ部材と第２ブラシ部材の摩擦帯電系列が、負極性側からトナー、第１ブラシ部材、像保持部材、第２ブラシ部材の順になるようにする。
【００１５】
そして、上記のように像保持部材の移動方向上流側において接触する第１ブラシ部材によって像保持部材の表面に残留する残留物をトナーの帯電極性側に帯電させる一方、像保持部材の移動方向下流側において接触する第２ブラシ部材によって上記のように帯電された残留物を像保持部材の表面から回収させるにあたっては、上記の第１ブラシ部材に像保持部材の表面に残留する残留物をトナーの帯電極性側に帯電させる帯電用バイアス電圧を作用させる帯電用バイアス電源を設けると共に、上記の第２ブラシ部材に上記のように帯電された残留物を像保持部材の表面から回収させる回収用バイアス電圧を作用させる回収用バイアス電源を設けるようにすることができる。
【００１６】
また、上記の画像形成装置においては、第２ブラシ部材に回収された残留物が第２ブラシ部材に蓄積されるのを防止するため、第２ブラシ部材に回収された残留物をこの第２ブラシ部材から回収する回収部材を設けることが好ましい。
【発明の効果】
【００１７】
本発明の画像形成装置においては、上記のようにトナー像を転写させた後の像保持部材の表面に２つのブラシ部材を接触させて、像保持部材の表面に残留するトナー等の残留物を除去するにあたり、像保持部材の移動方向上流側において接触する第１ブラシ部材によって像保持部材の表面に残留する残留物をトナーの帯電極性側に帯電させる一方、像保持部材の移動方向下流側において接触する第２ブラシ部材によって上記のように帯電された残留物を像保持部材の表面から回収させるようにすると共に、上記のトナーと像保持部材と第１ブラシ部材と第２ブラシ部材の摩擦帯電系列が、トナーの帯電極性側からトナー、第１ブラシ部材、像保持部材、第２ブラシ部材の順になるようにした。
【００１８】
ここで、第１ブラシ部材によって像保持部材の表面に残留する残留物をトナーの帯電極性側に帯電させる場合に、トナーの摩擦帯電系列がこの第１ブラシ部材よりもトナーの帯電極性側にあると共に、この第１ブラシ部材の摩擦帯電系列が像保持部材よりもトナーの帯電極性側にあるため、例えば、逆帯電のトナー等の残留物がこの第１ブラシ部材内に取り込まれたとしても、このトナー等の残留物が第１ブラシ部材との接触によってトナーの帯電極性側に帯電され、このようにトナーの帯電極性側に帯電された残留物が第１ブラシ部材よりも逆帯電側の像保持部材に適切に排出されるようになり、トナー等の残留物が第１ブラシ部材に蓄積されるのが防止される。
【００１９】
また、第２ブラシ部材によって像保持部材の表面から上記の残留物を回収させる場合に、この第２ブラシ部材の摩擦帯電系列が像保持部材やトナーよりもトナーと逆極性側にあるため、上記のようにトナーの帯電極性側に帯電された残留物がこの第２ブラシ部材によって適切に像保持部材の表面から回収されるようになると共に、回収されたトナー等の残留物がこの第２ブラシ部材との接触によってトナーの帯電極性側に帯電された状態で維持されるようになり、この第２ブラシ部材に回収された残留物が像保持部材に排出されるのが防止される。
【００２０】
この結果、本発明の画像形成装置においては、トナー等の残留物が第１ブラシ部材に蓄積されて帯電性能が低下するのが防止されると共に、第２ブラシ部材に回収されたトナー等の残留物がこの第２ブラシ部材から像保持部材の表面に戻ってクリーニング不良が発生したりするのが防止され、トナー等の残留物を像保持部材の表面から長期にわたって適切に除去できるようになる。
【００２１】
また、第１ブラシ部材によって像保持部材の表面に残留する残留物をトナーの帯電極性側に帯電させるにあたり、この第１ブラシ部材に帯電用バイアス電源から像保持部材の表面に残留する残留物をトナーの帯電極性側に帯電させる帯電用バイアス電圧を作用させると、像保持部材の表面に残留する残留物がより適切にトナーの帯電極性側に帯電されるようになると共に、第１ブラシ部材内に取り込まれた逆帯電のトナー等の残留物がより適切にトナーの帯電極性側に帯電されるようになり、トナー等の残留物が第１ブラシ部材に蓄積されるのがより一層防止されるようになる。
【００２２】
また、第２ブラシ部材によって像保持部材の表面から上記の残留物を回収させるにあたり、この第２ブラシ部材に回収用バイアス電源から前記のように帯電された残留物を像保持部材の表面から回収させる回収用バイアス電圧を作用させると、像保持部材の表面に残留する上記の残留物がより適切に第２ブラシ部材に回収されるようになる。なお、この場合、この第２ブラシ部材に回収された残留物はこの回収用バイアス電圧の作用を受けるが、上記のように回収されたトナー等の残留物がこの第２ブラシ部材との接触によってトナーの帯電極性側に帯電されるようになるため、回収された残留物が逆極性に帯電されて像保持部材に排出されるのが防止されるようになり、特に、第２ブラシ部材に回収された残留物を回収部材によってこの第２ブラシ部材から回収させるようにすると、回収された残留物が逆極性に帯電されて像保持部材に排出されるのがより一層防止されるようになる。
【発明を実施するための最良の形態】
【００２３】
次に、この発明の実施形態に係る画像形成装置を添付図面に基づいて具体的に説明する。なお、本発明に係る画像形成装置は、下記の実施形態に示したものに限定されず、その要旨を変更しない範囲において適宜変更して実施できるものである。
【００２４】
この実施形態の画像形成装置においては、図１に示すように、その装置本体１内に４つのイメージングカートリッジ１０Ａ〜１０Ｄを装着させるようにしている。
【００２５】
ここで、上記の各イメージングカートリッジ１０Ａ〜１０Ｄにおいては、回転するドラム状の感光体１１と、この感光体１１の表面を帯電させる帯電装置１２と、帯電された感光体１１の表面に画像情報に応じた露光を行って感光体１１の表面に静電潜像を形成する露光装置１３と、上記の感光体１１の表面に形成された静電潜像にトナーを供給してトナー像を形成する現像装置１４と、感光体１１の表面に形成されたトナー像を中間転写ベルト２に転写させた後の感光体１１の表面にクリーニングブレード１５ａを圧接させて感光体１１の表面に残留するトナー等の残留物を除去する第１クリーニング装置１５が設けられている。
【００２６】
そして、この実施形態に係る画像形成装置において、フルカラーの画像形成を行うにあたっては、上記の各イメージングカートリッジ１０Ａ〜１０Ｄにおける各現像装置１４に、黒色，黄色，マゼンダ色，シアン色の異なった色彩のトナーを収容させ、各イメージングカートリッジ１０Ａ〜１０Ｄにおいて、各感光体１１の表面にそれぞれの色彩のトナー像を形成するようにしている。
【００２７】
次いで、このように各イメージングカートリッジ１０Ａ〜１０Ｄにおける各感光体１１の表面に形成された各色彩のトナー像を、ローラ２ａに架け渡されて回転移動する中間転写ベルト２に順々に転写させて、この中間転写ベルト２の上にフルカラーのトナー像を形成する一方、各感光体１１の表面に残留するトナー等の残留物を上記の第１クリーニング装置１５によって除去するようにしている。
【００２８】
そして、給紙ローラ３により記録媒体Ｓを給紙し、タイミングローラ４によってこの記録媒体Ｓを適当なタイミングで上記の中間転写ベルト２と転写ローラ５との間に導き、中間転写ベルト２上に形成された上記のフルカラーのトナー像をこの記録媒体Ｓに転写させ、このようにフルカラーのトナー像が転写された記録媒体Ｓを定着装置６に導き、上記のフルカラーのトナー像を記録媒体Ｓに定着させた後、この記録媒体Ｓを排紙ローラ７により排紙させるようにしている。
【００２９】
また、上記のように中間転写ベルト２上に形成されたフルカラーのトナー像を記録媒体Ｓに転写させた場合に、記録媒体Ｓに転写されずに中間転写ベルト２の表面に残ったトナー等の残留物を第２クリーニング装置３０によって中間転写ベルト２から除去するようにしている。
【００３０】
ここで、この実施形態においては、図１及び図２に示すように、上記のように記録媒体Ｓに転写されずに中間転写ベルト２の表面に残ったトナー等の残留物を除去する第２クリーニング装置３０において、２つのブラシ部材３１，３２を中間転写ベルト２の表面に接触させるにあたり、上記の中間転写ベルト２の移動方向上流側において中間転写ベルト２の表面に接触させる第１ブラシ部材３１として、基材３１ｂの片面側にブラシ３１ａが植設されたものを用いる一方、中間転写ベルト２の移動方向下流側において中間転写ベルト２の表面に接触させる第２ブラシ部材３２として、ローラ３２ｂの外周にブラシ３２ａが植設されたものを用い、この第２ブラシ部材３２が中間転写ベルト２の表面に接触する位置において、この第２ブラシ部材３２を中間転写ベルト２と逆方向に移動するように回転させている。
【００３１】
そして、上記の中間転写ベルト２の移動方向上流側において接触する第１ブラシ部材３１に対して、帯電用バイアス電源３３から上記のトナーの帯電極性と同極性の帯電用バイアス電圧を印加させ、この第１ブラシ部材３１により、上記の中間転写ベルト２の表面に残留するトナー等の残留物をトナーと同極性に帯電させるようにしている。
【００３２】
また、上記の中間転写ベルト２の移動方向下流側において接触する第２ブラシ部材３２に対しては、回収用バイアス電源３４から回収部材３５を通してトナーの帯電極性と逆極性の回収用バイアス電圧を印加させ、上記のように帯電されたトナー等の残留物を、この第２ブラシ部材３２に電気的に吸引させると共に、この第２ブラシ部材３２におけるブラシ３２ａによってトナー等の残留物を、中間転写ベルト２の表面からこの第２ブラシ部材３２に回収させるようにしている。
【００３３】
そして、このように第２ブラシ部材３２に回収されたトナー等の残留物を、さらに上記の回収部材３５に電気的に吸引させて回収し、この回収部材３５にブレード３６を圧接させて、回収された残留物を回収部材３５から除去するようにしている。
【００３４】
ここで、上記のようにして中間転写ベルト２の表面に残留するトナー等の残留物を、第１ブラシ部材３１と第２ブラシ部材３２とにより中間転写ベルト２の表面から除去するにあたり、この実施形態においては、上記のトナーと中間転写ベルト２と第１ブラシ部材３１と第２ブラシ部材３２との摩擦帯電系列が、トナーの帯電極性側からトナー、第１ブラシ部材３１、中間転写ベルト２、第２ブラシ部材３２の順になるようにし、例えば、負帯電性のトナーを用いた場合には、負極性側からトナー、第１ブラシ部材３１、中間転写ベルト２、第２ブラシ部材３２の順になるようにする。
【００３５】
このようにすると、上記の第１ブラシ部材３１との接触及び帯電用バイアス電源３３から印加される帯電用バイアス電圧によって中間転写ベルト２の表面に残留するトナー等の残留物がトナーの帯電極性側に適切に帯電されるようになると共に、逆帯電のトナー等の残留物がこの第１ブラシ部材３１内に取り込まれたとしても、このトナー等の残留物が第１ブラシ部材３１との接触や帯電用バイアス電源３３から印加される帯電用バイアス電圧によってトナーの帯電極性側に帯電されるようになり、このようにトナーの帯電極性側に帯電された残留物が第１ブラシ部材３１よりも逆帯電側の中間転写ベルト２に適切に排出され、トナー等の残留物がこの第１ブラシ部材３１に蓄積されるのが防止される。
【００３６】
また、このように第１ブラシ部材３１によってトナーの帯電極性側に帯電された残留物が、上記の第２ブラシ部材３２との接触及び回収用バイアス電源３４から回収部材３５を通して印加される回収用バイアス電圧により、上記の中間転写ベルト２の表面にこの第２ブラシ部材３２に適切に回収されるようになると共に、このように第２ブラシ部材３２に回収されたトナー等の残留物が第２ブラシ部材３２との接触によってトナーの帯電極性側に維持されると共に、このトナー等の残留物が上記の回収部材３５によって第２ブラシ部材３２から適切に回収されるようになり、第２ブラシ部材３２に回収された残留物が逆極性に帯電されて中間転写ベルト２に排出されるのが防止され、トナー等の残留物が中間転写ベルト２の表面から長期にわたって適切に除去されるようになる。
【００３７】
なお、この実施形態においては、中間転写ベルト２の表面に残ったトナー等の残留物を除去する２つのブラシ部材として、中間転写ベルト２の移動方向上流側において中間転写ベルト２の表面に接触させる第１ブラシ部材３１として、基材３１ｂの片面側にブラシ３１ａが植設されたものを用いるようにしたが、図３に示すように、上記の第２ブラシ部材３２と同様に、ローラ３１ｃの外周にブラシ３１ａを植設させたものを用いることも可能である。
【００３８】
また、この実施形態においては、中間転写ベルト２の表面に残留するトナー等の残留物を除去する第２クリーニング装置３０だけを上記のように構成したが、上記の各感光体１１の表面に残留するトナー等の残留物を除去させる各第１クリーニング装置１５についても、上記の第２クリーニング装置３０と同様に構成することが可能である。
【００３９】
次に、負帯電性のトナーを用いた市販の複写機（コニカミノルタ社製：ＢｉｚｈｕｂＣ４５０）を改造し、転写後の中間転写ベルトの表面に残ったトナー等の残留物を除去する第２クリーニング装置において、上記の実施形態に示すように、基材の片面側にブラシを植設させた第１ブラシ部材と、ローラの外周にブラシを植設させた第２ブラシ部材とを中間転写ベルトの表面に接触させるようにした。なお、第１ブラシ部材を中間転写ベルトの表面に接触させるにあたっては、ニップ幅を８ｍｍ，食込み量を０．５ｍｍにする一方、第２ブラシ部材を中間転写ベルトの表面に接触させるにあたっては、その外径を１５ｍｍ，食込み量を１．０ｍｍにした。
【００４０】
そして、中間転写ベルトの移動方向上流側において接触する第１ブラシ部材に対して、帯電用バイアス電源からトナーと同極性のマイナスの帯電用バイアス電圧を印加させて、この第１ブラシ部材から中間転写ベルトに−２０μＡの電流が流れるようにして、中間転写ベルトの表面に残留するトナー等の残留物をマイナスに帯電させるようにした。
【００４１】
一方、中間転写ベルトの移動方向下流側において接触する第２ブラシ部材に対しては、回収用バイアス電源から回収部材を通してトナーの帯電極性と逆極性のプラスの回収用バイアス電圧を印加させ、この第２ブラシ部材から中間転写ベルトに＋２０μＡの電流が流れるようにして、上記のようにマイナスに帯電されたトナー等の残留物をこの第２ブラシ部材によって回収するようにした。
【００４２】
そして、使用するトナーの種類と、中間転写ベルトの種類と、第１ブラシ部材及び第２ブラシ部材におけるブラシの種類を変更させた実験を行った。
【００４３】
ここで、トナーとしては、バインダーにポリエステル樹脂を用いて粉砕法により製造した平均粒径が８．０μｍのトナーＴ１と、バインダーにスチレン−アクリル樹脂を用いて重合法により製造した平均粒径が７．２μｍのトナーＴ２とを用いるようにした。
【００４４】
また、中間転写ベルトとしては、表面抵抗が５×１０11Ωの導電性ポリイミド樹脂で構成された中間転写ベルトＡ１と、表面抵抗が９×１０10Ωのポリフェニルサルファイド樹脂で構成された中間転写ベルトＡ２とを用いるようにした。
【００４５】
また、第１ブラシ部材と第２ブラシ部材とにおけるブラシとしては、繊維太さ２デシテックス，原糸抵抗１×１０10Ω，繊維長４ｍｍ，繊維密度３７５×１０6本／ｍ２になった導電性ポリエステル繊維のブラシＢ１と、繊維太さ３デシテックス，原糸抵抗１×１０9Ω，繊維長４ｍｍ，繊維密度３１０×１０6本／ｍ２になった導電性アクリル繊維のブラシＢ２と、繊維太さ２デシテックス，原糸抵抗４×１０8Ω，繊維長４ｍｍ，繊維密度３７５×１０6本／ｍ２になった導電性ナイロン繊維のブラシＢ３とを用いるようにした。
【００４６】
ここで、上記のトナーＴ１，Ｔ２、中間転写ベルトＡ１，Ａ２、ブラシＢ１〜Ｂ３をそれぞれ摩擦させた際に流れる電流の方向を検流計によって測定し、トナーの帯電極性である負極側からの摩擦帯電系列を調べた結果、負極側からの摩擦帯電系列は、トナーＴ１、ブラシＢ１、トナーＴ２、中間転写ベルトＡ１、ブラシＢ２、中間転写ベルトＡ２、ブラシＢ３の順になっていた。
【００４７】
そして、実験１〜９においては、上記の第２ブラシ部材にブラシＢ３を用い、上記のトナーの種類、中間転写ベルトの種類、第１ブラシ部材の種類を下記の表１に示すように変更させて、それぞれベタ画像を１万枚印字させる耐刷試験を行い、第１ブラシ部材におけるトナー等の残留物の取込状態及び第２ブラシを通過した後の中間転写ベルトの表面におけるトナー等の残留物の残留状態を調べて、これらの評価を行い、その結果を表１に示した。
【００４８】
ここで、第１ブラシ部材の取込状態については、耐久試験によって増加した第１ブラシ部材の重量を調べ、その増加分が０．２ｇ以下の場合を○、その増加分が０．２ｇを超える場合を×で示した。
【００４９】
また、中間転写ベルト表面の残留状態については、目視により中間転写ベルトの表面を観察し、トナー等の残留物が確認されない場合を○、トナー等の残留物が確認された場合を×で示した。
【００５０】
【表１】
2009014943.tif 000003
【００５１】
この結果、トナーと中間転写ベルトと第１ブラシ部材と第２ブラシ部材との摩擦帯電系列が、トナーの帯電極性である負極性側から同表に示すように、トナー、第１ブラシ部材、中間転写ベルト、第２ブラシ部材の順になった実験１，５，７，８においては、第１ブラシ部材におけるトナー等の残留物の取り込みが少なくなると共に、第２ブラシを通過した後の中間転写ベルトの表面にトナー等の残留物が残留するということもなかった。
【００５２】
これに対して、中間転写ベルトが第１ブラシ部材よりも負極性側に位置する実験２，３，６，９や、第１ブラシ部材がトナーよりも負極性側に位置する実験４においては、第１ブラシ部材におけるトナー等の残留物の取り込みが多くなっていた。
【００５３】
次に、第１ブラシ部材におけるトナー等の残留物の取り込みが少なくなると共に、第２ブラシを通過した後の中間転写ベルトの表面にトナー等の残留物が残留するということもなかった上記の実験１，５，７，８において、第２ブラシ部材に用いるブラシの種類を、下記の表２に示すように、実験１ａ，５ａ，７ａ，８ａにおいてはブラシＢ２に、実験１ｂ，５ｂ，７ｂ，８ｂにおいてはブラシＢ１に変更させて、上記の場合と同様の耐刷試験を行い、上記の場合と同様にして、第１ブラシ部材におけるトナー等の残留物の取込状態及び第２ブラシを通過した後の中間転写ベルトの表面におけるトナー等の残留物の残留状態の評価を行い、その結果を表２に示した。
【００５４】
【表２】
2009014943.tif 000004
【００５５】
この結果、上記の実験１，５，７，８の場合と同様に、トナーと中間転写ベルトと第１ブラシ部材と第２ブラシ部材との摩擦帯電系列が、トナーの帯電極性である負極性側からトナー、第１ブラシ部材、中間転写ベルト、第２ブラシ部材の順になった実験１ａにおいては、上記の実験１，５，７，８の場合と同様の結果が得られた。
【００５６】
これに対して、第２ブラシ部材が中間転写ベルトよりも負極性側に位置する実験１ｂ，５ａ，５ｂ，７ａ，７ｂ，８ａ，８ｂにおいては、第２ブラシを通過した後における中間転写ベルトの表面にトナー等の残留物が残留し、クリーニング不良が発生していた。
【図面の簡単な説明】
【００５７】
【図１】本発明の一実施形態に係る画像形成装置を示した概略説明図である。
【図２】同実施形態の画像形成装置において、転写後における中間転写ベルトの表面に残留するトナー等の残留物を除去する第２クリーニング装置に、基材の片面側にブラシが植設された第１ブラシ部材とローラの外周にブラシが植設された第２ブラシ部材とを設け、この２つのブラシ部材によって中間転写ベルトの表面に残留するトナー等の残留物を除去する状態を示した概略説明図である。
【図３】同実施形態の画像形成装置において、上記の第１ブラシ部材にローラの外周にブラシが植設されたものを用いた変更例の概略説明図である。
【符号の説明】
【００５８】
１  装置本体
２  中間転写ベルト（像保持部材）
２ａ  ローラ
３  給紙ローラ
４  タイミングローラ
５  転写ローラ
６  定着装置
７  排紙ローラ
１０Ａ〜１０Ｄ  イメージングカートリッジ
１１  感光体
１２  帯電装置
１３  露光装置
１４  現像装置
１５  第１クリーニング装置
１５ａ  クリーニングブレード
３０  第２クリーニング装置
３１  第１ブラシ部材
３１ａ  ブラシ
３１ｂ  基材
３１ｃ  ローラ
３２  第２ブラシ部材
３２ａ  ブラシ
３２ｂ  ローラ
３３  帯電用バイアス電源
３４  回収用バイアス電源
３５  回収部材
３６  ブレード
Ｓ  記録媒体
【図１】
2009014943.tif 000005
【図２】
2009014943.tif 000006
【図３】
2009014943.tif 000007